(57)【要約】  情報媒体の背面に配置され、面状に発光して該情報媒体を背面から照明照射する照明装置と、この照明装置の背面に配置され、非接触情報記憶媒体に対応して非接触で通信可能なリーダライタと、リーダライタから所定間隙を存して配置された背面部材と、照明装置と背面部材の間に収容される吸湿部材と、を備えるようにした。これにより、主要構成要素であるリーダライタが結露に起因する短絡による漏電事故を回避し、周囲の金属に影響を受けることなくアンテナの受信強度の低下を抑制する。
2009028204.tif 000002
【特許請求の範囲】
【請求項１】
情報媒体の背面に配置され、面状に発光して該情報媒体を背面から照明照射する照明装置と、
該照明装置の背面に配置され、非接触情報記憶媒体に対応して非接触で通信可能なリーダライタと、
該リーダライタから所定間隙を存して配置された背面部材と、
前記照明装置と前記背面部材の間に収容される吸湿部材と、
を備えることを特徴とする情報表示パネル。
【請求項２】
前記照明装置と前記背面部材の間に、前記吸湿部材と共に又は前記吸湿部材に代えて、吸湿機能を有する薬剤が収容されることを特徴とする請求の範囲１記載の情報表示パネル。
【請求項３】
前記リーダライタは、前記吸湿部材によって覆われることを特徴とする請求の範囲１又は２に記載の情報表示パネル。
【請求項４】
前記照明装置の背面側に基板を設けると共に該基板に吸湿材を貼り付け、
前記吸湿材が貼り付けられた前記基板に、前記リーダライタを、前記背面部材に対面させて実装したことを特徴とする請求の範囲１、２又は３に記載の情報表示パネル。
【請求項５】
前記リーダライタは、ポリビニール系樹脂またはエポキシ系樹脂等で被覆されることを特徴とする請求の範囲１乃至４のいずれかに記載の情報表示パネル。
【請求項６】
前記リーダライタを複数備えると共に、アンテナ部と制御部とが分離して形成され、
複数の前記リーダライタ間で単一の前記制御部を共有するようになっており、
複数の前記アンテナ部が異なる箇所に装着されることを特徴とする
請求の範囲１乃至５のいずれかに記載の情報表示パネル。
【請求項７】
前記リーダライタは、非接触情報記憶媒体と無線通信するコイル状のアンテナコイルを有しており、
前記アンテナコイルが、金属板等で成る導電層部、及び磁性シートとで挟み込まれていることを特徴とする請求の範囲１乃至６のいずれかに記載の情報表示パネル。
【請求項８】
前記リーダライタに対峙する前記背面部材に、磁性シートを配置したことを特徴とする請求の範囲１乃至７のいずれかに記載の情報表示パネル。
【請求項９】
更に、前記照明装置および前記背面部材の外周縁を保持する額縁部材とを具備することを特徴とする請求の範囲１乃至８のいずれかに記載の情報表示パネル。
【発明の詳細な説明】
【技術分野】
【０００１】
本発明はＲＦＩＤ(Radio Frequency Identification)内蔵の携帯型情報端末および非接触情報記憶媒体付きカード(以下、「ＲＦＩＤタグ」ともいう)をかざして、非接触でデジタルコンテンツへアクセスできる情報表示パネルに係り、殊に、情報表示パネル内部に生じる結露を抑制すると共に、情報表示パネルの設置環境による電波障害の影響を受け難くして双方向に情報を安定的に送受信しうる情報表示パネルに関する。
【背景技術】
【０００２】
ＩＣタグで成るＲＦＩＤタグを内蔵する携帯型情報端末をポスターにかざすことで、ポスター背面に設置するＲＦＩＤタグやリーダライタとの間でインタラクティブに情報を送受信する態様の情報表示パネルとして、例えば特許文献１：特開２００２−１８５５６５号公報、特許文献２：特開２００６−３１５３１号公報、特許文献３：特開２００７−３４３６２号公報等が知られている。
【発明の開示】
【発明が解決しようとする課題】
【０００３】
しかしながら、上記の特許文献１〜３に記載の情報表示パネルにあっては、屋内および屋外に設置されるとき、設置環境により大きな温度変化や湿度変化にさらされるため、情報表示パネルの内部空間に結露が生じる。この結露に起因して、リーダライタ、照明装置を形成するＬＥＤ(発光ダイオード素子)やＥＬ(エレクトロルミネッセンス)等の電子構成要素の早期劣化、電気的損傷を招来する問題がある。【０００４】
特に、屋外に設置する情報表示パネルの場合にあっては、広告パネルに結露が生じることを防止するために、筐体の適宜箇所に通気孔や水抜き穴を設けて対処している。この通気孔や水抜き穴は、情報表示パネル内部が外部と導通する連通路を形成するので、外部の水蒸気、塵埃、あるいは昆虫といった異物が情報表示パネル内に侵入し、リーダライタ等の電子機器の損傷を一層加速してしまう問題がある。【０００５】
本発明は、上記の問題に鑑みて創案されたもので、情報表示パネルの主要構成要素であるリーダライタが結露に起因する短絡による漏電事故を回避し、電子機器の早期劣化を防止し、安定的で信頼性ある情報表示パネルの提供を目的とする。
【課題を解決するための手段】
【０００６】
上記目的を達成する本発明は、情報媒体の背面に配置され、面状に発光して該情報媒体を背面から照明照射する照明装置と、該照明装置の背面に配置され、非接触情報記憶媒体に対応して非接触で通信可能なリーダライタと、該リーダライタから所定間隙を存して配置された背面部材と、前記照明装置と前記背面部材の間に収容される吸湿部材と、を備えることを特徴とする情報表示パネルである。【０００７】
上記手段によれば、所定間隙に収容される吸湿部材の存在により、外部から侵入する雨水等を吸湿できる。この結果、結露によるリーダライタ等の電子要素の断線を回避し、短絡による漏電を来してデータの送受信性能が低下することを回避できるようになる。また、この吸湿部材は、障壁材料としても機能するので、リーダライタ側に塵埃や昆虫といった異物が到達することを抑制できる。【０００８】
また、吸湿部材は照明装置の後方、すなわち、背面に設けられるので、そのシルエットが情報媒体に反映することはなく、この結果、情報表示パネルの外観体裁を損ねることを防止できる。特に、照明装置が前面側に面発光することで、その背面側に存在する吸湿部材やリーダライタの存在を視認しにくくする事ができる。【０００９】
なお、本発明における非接触情報記憶媒体は、例えばＲＦＩＤタグ、ＩＣタグなどを含むが、これらはパッシブタグ(受動タグ)タイプであってもよく、また、アクティブタグ(能動タグ)タイプであってもよい。【００１０】
また、非接触情報記憶媒体とリーダライタの情報伝達方式は、近距離無線通信を含むものであり、更に、その方式としては電磁誘導方式や電波方式を含む。【００１１】
上記目的を達成する情報表示パネルは、上記発明において、前記照明装置と前記背面部材の間に、前記吸湿部材と共に又は前記吸湿部材に代えて、吸湿機能を有する薬剤が収容されることを特徴とする。【００１２】
上記手段によれば、吸湿機能を備えた薬剤を情報表示パネルの内部空間に収容しているので、内部空間に侵入した湿気による結露、腐食といった不具合を未然に防止する。その結果、リーダライタ等の電子要素の使用耐用年数を増大せしめ、漏電による情報表示パネルの誤作動に起因するデータの送受信性能を安定的に維持できるようになる。【００１３】
上記目的を達成する情報表示パネルは、上記発明において、前記リーダライタは、前記吸湿部材によって覆われることを特徴とする。このように、リーダライタを覆うように吸湿部材を配置することで、リーダライタの周囲の結露を吸湿部材が効果的に吸収することが可能になる。なお、吸湿部材の配置場所は適宜変更することも可能であり、情報表示パネルの内部、且つ照明装置の背面側に空間が存する場合には、その空間に適宜収容していくことが好ましい。【００１４】
上記目的を達成する情報表示パネルは、上記発明において、前記照明装置の背面側に基板を設けると共に該基板に吸湿材を貼り付け、前記吸湿材が貼り付けられた前記基板に、前記リーダライタを、前記背面部材に対面させて実装したことを特徴とする。【００１５】
上記手段によれば、照明装置後方に設けた基板に吸湿材を貼り付け、そこにリーダライタを実装したので、基板表面の結露によるリーダライタの漏電を確実に防止できるようになる。【００１６】
上記目的を達成する情報表示パネルは、上記発明において、前記リーダライタは、ポリビニール系樹脂またはエポキシ系樹脂等で被覆されることを特徴とする。【００１７】
上記手段によれば、リーダライタそのものを、ポリビニール系樹脂、エポキシ系樹脂等で被覆して実装されるので、リーダライタが雨水に接触するのをより効果的に防止できるようになる。【００１８】
上記目的を達成する情報表示パネルは、上記発明において、前記リーダライタを複数備えると共に、アンテナ部と制御部とが分離して形成され、複数の前記リーダライタ間で単一の前記制御部を共有するようになっており、複数の前記アンテナ部が異なる箇所に装着されることを特徴とする。【００１９】
上記手段によれば、自身の発熱によって結露が発生しやすい制御部が、複数のリーダライタ間で共有されるので、結露面積を抑制することができる。なお、これらすべての要素をポリビニール系樹脂またはエポキシ系樹脂等でコーティングしておけば、リーダライタが水分に晒されるのをより効果的に防止できる。【００２０】
上記目的を達成する情報表示パネルは、上記発明において、前記リーダライタは、非接触情報記憶媒体と無線通信するコイル状のアンテナコイルを有しており、前記アンテナコイルが、金属板等で成る導電層部、及び磁性シートとで挟み込まれていることを特徴とする。【００２１】
上記手段によれば、アンテナの一部を成すアンテナコイルに予め金属板で成る導電層部を一体に設け、かつ、アンテナコイルを導電層部と磁性シートとで挟むようにして積層配置しているので、金属等を含んだ建物の壁面近くに情報表示パネルを設置する環境下で利用される場合でも、携帯型情報端末の受信強度およびリーダライタの感度が上げることができる。その結果、通行人等の利用者に対してインパクトある動画映像、ポスター、サイン等媒体に対し、携帯型情報端末やＩＣカードをかざすだけで確実にデジタルコンテンツを活用したサービスを利用できるようになる。【００２２】
上記目的を達成する情報表示パネルは、上記発明において、前記リーダライタに対峙する前記背面部材に、磁性シートを配置したことを特徴とする。【００２３】
上記手段によれば、携帯型情報端末の電磁波の周波数が、例えば１３．５６ＭＨである場合には、磁性シートをアンテナコイルの相対する位置に設けているので、携帯型情報端末の受信強度やリーダライタの感度を高めることが可能となる。【００２４】
上記目的を達成する情報表示パネルは、上記発明において、更に、前記照明装置および前記背面部材の外周縁を保持する額縁部材とを具備することを特徴とする。【００２５】
上記手段によれば、情報表示パネルはその内部空間を額縁部材により外部から閉塞した空間に形成される。この結果、リーダライタを外部から侵入する雨水等に晒されることがなく、また、外部から内部空間に塵埃や雨水等の異物の侵入を効果的に抑制できる。
【発明の効果】
【００２６】
本発明によれば、広告パネルにリーダライタの陰影が映り込まないように外観体裁を維持しながら、リーダライタの結露の防止を図ることができる。また、例え、情報表示パネルに外部との通気を図る通気孔や水抜き穴が設けられていたとしても、照明装置に結露が生じたり、その水によってリーダライタ等の電子要素が漏電したり、腐食したりすることを未然に防止できる。また、内部空間に水分・塵埃や昆虫類が入り込むのを抑制し、外観体裁がよく維持管理のし易い情報表示パネルを得ることができる。
【図面の簡単な説明】
【００２７】
【図１】本発明の第１実施形態に係る電子看板を、分解して示した要部外観斜視図である。
【図２】同じく、第１実施形態の拡大縦断面図である。
【図３】同じく、第１実施形態の変形例における図２と同様の縦断面図である。
【図４】本発明の第２実施形態に係る電子看板を、分解して示した要部外観斜視図である。
【図５】同じく、第２実施形態の変形例における縦断面図である。
【図６】同じく、上記変形例に用いられるリーダライタの電子回路図である。
【発明を実施するための最良の形態】
【００２８】
以下、本発明を実施するための最良の実施形態を順次図面に基づいて説明する。なお、各実施形態を示す図面については、均等部材または均等部分には、これらに付したと同一の符号を付すものとする。また、本実施形態において、情報媒体の一種である広告媒体は、紙や合成樹脂材製のシート材に対して、携帯型情報端末をかざす位置を示すアクセスポイントや広告等が印刷された態様のものを指す。しかし、場合によって本実施形態において広告媒体は、当該シート材の裏面(背面)に薄板の透過性シート材を密着させたものをいう。【００２９】
第１実施形態は図１，図２に示すように、本発明の情報表示パネルを、エッジライト方式に係る電子看板１に適用したものである。この電子看板１は、情報媒体の一種である広告媒体(「広告物」、または「広告パネル」ともいう)２と、その背面から広告媒体２を照明する照明装置３と、照明装置３の背面に配置される反射板３ｂと、反射板３ｂの背面に配置される基板５と、基板５に設置されるリーダライタ４と、基板５の背面に配置される背面部材６と、額縁部材７を備える。【００３０】
照明装置３は、広告パネル２の背面に密着配置される光透過性の導光板３ａと、導光板３ａの背面に配置され光の反射機能を有する反射板３ｂと、導光板３ａおよび反射板３ｂの両エッジに沿って配置される光源ユニット３ｃを備える。【００３１】
導光板３ａは、その表面の全面に、集光機能を有する多数の小さなレンズ部３ｅが形成され、これによりＬＥＤ３ｄの光が広告媒体２を背面からムラを生じないように照射できるようにしている。ここではレンズタイプの導光板を示したが、本発明はこれに限定されず、レーザーや機械によってＶ字カットの溝を形成した導光板等を用いることも勿論可能である。【００３２】
光源ユニット３ｃには、不図示の電源に接続して点灯する多数のＬＥＤ３ｄが、導光板３ａの端面に対峙して埋設されている。これにより、ＬＥＤ３ｄから照射された光は導光板３ａの両側縁から入射される。導光板３ａに入射された光は、図１の矢印で示すように、導光板３ａの前面から放出され、広告媒体２を背面から均一に照射する。【００３３】
一方、広告媒体２の前面には透明部材２ａが配置される。広告媒体２は、透明部材２ａと導光板３ａで挟まれる。広告媒体２を差し替える場合には、例えば、電子看板１の側縁に設けた不図示の差し替えスリットから出し入れする。もっとも、本実施形態では透明部材２ａを設ける態様であるが、無くてもよい。  反射板３ｂは、導光板３ａから背面側に放出される光を反射して、導光板３ａの前面側に出射させる。この結果、照明装置３は一層明るい光を前面側に照射可能となる。反射板３ａの背面には、後述するリーダライタ４を実装するための基板５が配置される。反射板３ｂと基板５との間には間隙Ｓ１が設けられ、ここに後述する吸湿部材９が収容される。【００３４】
基板５の少なくとも背面には、図１においてドットで示すように、湿気等の水分を吸収ないしは吸湿する機能を有する適宜の吸湿シート材５ａが貼り付けられている。基板５における背面部材６側に対向する面(背面)には、リーダライタ４が貼り付けられる。このリーダライタ４は、携帯型情報端末に内蔵されるＲＦＩＤタグや、ＩＣカードに内蔵されるＩＣタグ等と無線通信して、情報を読み書きする。本第１実施形態における上記ＲＦＩＤタグやＩＣタグは、電池を内臓する必要のないパッシブタグ(受動タグ)であってもよく、また、電池を内臓し自ら電波を発する形態のアクティブタグ(能動タグ)であってもよい。【００３５】
また、リーダライタ４と非接触情報記憶媒体の情報伝達方式は、双方のアンテナ部の間で信号を双方向に伝達するものであるが、電磁誘導方式または電波方式のいずれであってもよいのは勿論である。これは本第１実施形態だけでなく、以下に示される各実施形態にも当てはまるものである。【００３６】
リーダライタ４は、広告媒体２に印刷されるアクセスポイントＡ（図２参照）に対応する位置に貼り付けられる。なお、アクセスポイントとは、ＲＦＩＤタグ内蔵の携帯型情報端末等と、リーダライタ４との間で、非接触で通信するための目印（エリア）をいう。リーダライタ４は、アクセスポイントに最も近接した位置に設けるのが好ましく、これにより携帯型情報端末のＲＦＩＤタグやＩＣカードとリーダライタ４との間で、情報の読み出しまたは書き込みが円滑に行われるようにする。【００３７】
リーダライタ４は、アンテナボード４ｄに実装された電波(無線)を拾うためのアンテナ部４ａと、ＵＲＬ等の情報を読みとって記憶するＩＣチップで形成された制御部４ｂを有する。リーダライタ４を基板５に貼り付ける場合には、例えば、リーダライタ４を基板５に貼り付けた後、ポリビニール系樹脂またはエポキシ系樹脂等の水分の浸入を阻止するシール材８でリーダライタ４の全表面を被覆して行う。電子看板１の組み立ては、図２に示すように、ほぼ同一の平板形状に形成された透明部材２ａ、広告媒体２、導光板３ａ、反射板３ｂ、基板５、および背面部材６を順次重ねるようにして、それらの外周縁を光源ユニット３ｃと共に額縁部材７で囲って保持して一体化する。【００３８】
こうして形成される電子看板１の内部には、間隙Ｓ１に加えて、基板５と背面部材６との間に間隙Ｓ２が設けられる。この間隙Ｓ１、Ｓ２には、それを埋め尽くすように吸湿部材９が収容される。【００３９】
第１実施形態の電子看板１によれば、広告媒体２に設定されたアクセスポイントに携帯型情報端末等をかざすだけで、リーダライタ４との間で双方向にデータの送受信が行える。そして、電子看板の内部における間隙Ｓ１、Ｓ２には、吸湿部材９がそれぞれ充填されているので、外部から不用意に水蒸気や雨水等が浸入しても、吸湿部材９により水分が吸収され、結露の発生を効果的に抑制する。【００４０】
また、リーダライタ４はその全表面がシール材８で被覆された状態で基板５に実装されるので、リーダライタ４は水分から完全に遮断され、リーダライタ４の漏電を防止し、電子要素の損傷、劣化を有効に阻止できる。【００４１】
また、リーダライタ４を照明装置３の背面側に設けているので、リーダライタ４のシルエット(陰影)が広告媒体２に映るのを回避できる。この結果、デザイン性に優れた照明付きの電子看板１を得ることができる。【００４２】
なお、上記第１実施形態では、吸湿部材９を間隙Ｓ１，Ｓ２の存する密閉空間全体を埋めるように収容したが、全体でなく一部を埋めるように収容してもよい。また、上記吸湿部材９と併用して、あるいは吸湿部材９の代替部材として、吸湿機能を有する薬剤を収容する態様であってもよい。係る変形例の構成であっても、上記第１実施形態とほぼ同様の吸湿効果を有し、リーダライタ４の損傷等を未然に回避できる。【００４３】
また、本第１実施形態では、間隙Ｓ１を有する場合について説明したが、この間隙Ｓ１は設けなくてもよい。換言すると、反射板３ｂと基板５を密着させるようにしてもよい。これによれば、リーダライタ４と携帯型情報端末等との間の交信距離が縮まり、データの送受信に誤作動が惹起するのを低減できる。【００４４】
基板５と背面部材６との距離Ｌが例えば３ｍｍ以上ある場合には、アンテナ部４ａに対向する背面板６に磁性シート１０を配置することも可能である。磁性シート１０は、フェライト磁性粉末または金属磁性粉末を合成樹脂から成る基材に充填してシート状に形成したものである。また、磁性吸収体の機能を有する態様であれば、その材質は特に問わない。係る構成とすることで、吸湿部材９や吸湿シート材５ａを挿入することによる通信レベルの低下を抑制することができる。また、電子看板１が設置される周囲の建築構造物が有する金属からの影響を排除でき、それらによるアンテナ部４ａのアンテナ出力の低下を回避できる。【００４５】
また、基板５と背面部材６との距離Ｌが例えば３ｍｍ以下である場合には、図３に示すような変形例とすることも可能である。すなわち、リーダライタ４に設けられるコイル状のアンテナコイルおよび制御部を、金属板等で成る導電層部１１と、磁性シート１０との間に挟み込んだ積層構造にする。なお、シール材８は磁性シート１０の上から覆うように設け、結露による水分からリーダライタ４、導電層部１１、磁性シート１０が腐食・損傷しないようにする。【００４６】
係る変形例によれば、リーダライタ４を、導電層部１１と磁性シート１０とでサンドウィッチ状に挟んでいるので、電子看板１が設置される周囲の金属に対する影響を排除できる。もっとも、導電層部１４を設けると、その導電層部１１が電波、電磁波を渦電流として消費するため、その分、受信強度が低下するが、リーダライタ４を磁性シート１０と導電層部１１との間に配設しているので、携帯型情報端末の周波数が１３．５６ＭＨｚの場合には、その受信強度を高めることができ、好都合である。【００４７】
次に、本発明の第２実施形態を図４〜図６に基づいて説明する。なお、図４では背面部材６の図示は省略した。本第２実施形態が第１実施形態と構成上相違する点は、第１実施形態におけるリーダライタはアンテナ部４ａと制御部４ｂとが一体構造に形成したが、本第２実施形態のリーダライタ４は、複数備えると共に、アンテナ部４ａと制御部４ｂとが別々に分離されている。また、複数のリーダライタ４の間で、この制御部４ｂを共有化している。即ち、複数のリーダライタ４において、制御部４ｂは１個となっている。なお、アンテナ部４ａは、アンテナボード４ｄに実装さており、制御部４ｂはＭＰＵでなるメモリ部を有する一個の基板４ｅに実装されている。リーダライタ４のアンテナ部４ａおよび制御部４ｂは、基板５に別々の部位に貼り付けられ、リード線４ｃによりアンテナ部４ａと制御部４ｂとが電気接続される。その他の構成は上記第１実施形態とほぼ同じである。【００４８】
図６には、リーダライタ４の回路構成が示されている。リーダライタ４は、アンテナ部４ａおよび制御部４ｂが別々に形成され、それがリード線４ｃにより電気接続されている。なお、図６中の符号４ｆはコネクタ端子を示す。【００４９】
図４、図５に戻って、３個のアンテナボード４ｄ、リード線４ｃ、およびメインボード４ｅのすべてを被覆するように、シール材８がリーダライタ４の上にコーティングされる。なお、間隙Ｓ１およびＳ２には、第１実施形態と同様にして吸湿部材９が収容される。【００５０】
本第２実施形態によっても、リーダライタ４等の電気要素がシール材８で被覆された状態で基板５に実装されるため、外部から浸入する雨水等の水による結露を抑制でき、電気要素の電気絶縁が損傷を受けることに起因する漏電を未然に回避できる。【００５１】
また、複数のリーダライタ４の間で、一個の制御部４ｂを共有している一般的に、制御部４ｂは電気的に発熱しやすいため、外気との温度差によって結露が発生しやすい。従って、本実施形態のように、複数のリーダライタ４の間において、結露が発生しやすい制御部４ｂを共有して一カ所にまとめて配置することでで、構造的に結露の発生面積を低減することが可能となる。更に、制御部４ｂに対して複数個のアンテナ部４ａが各リード線４ｃによって接続されているので、アンテナ部４ａの配置を自由に変更できる。この結果、広告デザインの製作に自由度が増し、かつ、リーダライタ周りの回路構成をシンプルに設計できるので、安価に電子看板１を製作できる利点がある。【００５２】
上記第１実施形態、第２実施形態においては、エッジライト方式の導光板３ａを備えた場合を例に挙げて説明したが、本発明はこれに限定されないことは言うまでもなく、面発光するものであれば、他の照明装置を採用することができる。例えば、エレクトロルミネッセンス(ＥＬ)方式のシートや、液晶パネルを利用した照明装置で構成することも可能である。また、導光板３ａの光源もＬＥＤに限定されず、ＥＥＥＬ（外部電極蛍光管）、ＣＣＥＬ（冷陰極管）、ＨＣＦＬ（熱陰極管）などを用いることもできる。【００５３】
尚、本発明の情報表示パネルは、上記した各実施形態および各変形例に限定されるものではなく、本発明の要旨を逸脱しない範囲内において種々変更を加え得ることは勿論である。例えば、情報表示パネルを店舗のフロア、地面等に設置して使用する態様だけでなく、店舗や駅構内の壁面等に掲示する態様で使用することも可能である。また、本実施形態では、情報表示パネルを電子看板に利用した場合に限って示したが、本発明はこれに限定されず、道路標識や、避難用の誘導灯等に利用することも可能である。【００５４】
また、上記実施形態では、内蔵されるリーダライタが、電源を用いて電気的に動作する構造に限って示したが、本発明はこれに限定されず、ＩＣタグを内蔵した携帯型情報端末側が電気的に動作するアクティブタグの場合は、リーダライタ側がＲＦＩＤタグのみで構成されていても良い。
【産業上の利用可能性】
【００５５】
本発明の情報表示パネルは、アクセスポイントに携帯型情報端末に内蔵された非接触情報記憶媒体(以下、「ＲＦＩＤタグ」ともいう)あるいは非接触情報記憶媒体付きカード(非接触ＩＣカード)などをかざすだけで、インタラクティブなコミュニケーションを行うことができる。例えば、音楽、ゲーム、小説、ムービー等のコンテンツ、観光地の宿泊、催し、ショッピング、スポーツ開催等のエリア情報等を瞬時にして得らる。また、情報表示パネル内部に浸入する雨水等の結露からリーダライタ等の電気要素が損傷して漏電を惹起するのを回避することができる。この結果、安全、確実で、信頼性ある情報表示パネルの製造に利用できる。
【図１】
2009028204.tif 000003
【図２】
2009028204.tif 000004
【図３】
2009028204.tif 000005
【図４】
2009028204.tif 000006
【図５】
2009028204.tif 000007
【図６】
2009028204.tif 000008
【国際調査報告】
2009028204.tif 000009
2009028204.tif 000010
2009028204.tif 000011
2009028204.tif 000012